(57)【要約】【課題】熱交換管の外周に強固に付着したダストを確実かつ効率的掻き落とすことが可能な排ガス冷却塔のダスト掻落し装置を提供する。【解決手段】冷媒を流通させる複数の熱交換管４を並設して、これら熱交換管４の外周に排ガスを流通させるようにした排ガス冷却塔２において、熱交換管４の外周に付着したダストを掻き落とすスクレーパ体５Ａ，５Ｂと、スクレーパ体５Ａ，５Ｂが長手方向の一箇所に取着された無端のリング状チェーン６と、当該チェーン６を正逆回転させて、スクレーパ体５Ａ，５Ｂを熱交換管４に沿ってその長手方向へ往復移動させるモータ７５とを備える。【選択図】        図２
2014231946.tif 000002
【特許請求の範囲】
【請求項１】
冷媒を流通させる複数の熱交換管を並設して、これら熱交換管の外周に排ガスを流通させるようにした排ガス冷却塔において、前記熱交換管の外周に付着したダストを掻き落とすスクレーパ体と、当該スクレーパ体が長手方向の一箇所に取着された無端のリング状連結帯と、当該連結帯を正逆回転させて、前記スクレーパ体を前記熱交換管に沿ってその長手方向へ往復移動させる移動駆動手段とを備える排ガス冷却塔のダスト掻落し装置。
【請求項２】
前記連結帯のリング状の両端はそれぞれ懸架部材に懸架されるとともに、これら懸架部材は前記連結帯に所定の張力を付与するように互いに離間する方向へ付勢されている請求項１に記載の排ガス冷却塔のダスト掻落し装置。
【発明の詳細な説明】
【技術分野】
【０００１】
本発明は排ガス冷却塔のダスト掻落し装置に関し、特に真空精錬炉の排ガス流路に設けられる排ガス冷却塔のダスト掻落し装置に関する。
【背景技術】
【０００２】
スクラップを溶解した溶湯から真空状態で不純物を除去する真空精錬炉には、その排ガス流路に排ガス冷却塔が設けられて、後段の集塵装置へ流入する排ガスの温度を適正値へ低下させている。このような排ガス冷却塔として、例えば特許文献１に示されるように、冷却空気等の冷媒を流通させた熱交換管の外周に排ガスを流通させるようにした間接冷却式の排ガス冷却塔が使用されている。この場合、熱交換管の外周には排ガス中のダストが付着するため、これを定期的に掻き落とし除去するためのスクレーパを備えたダスト掻落し装置を設けることが多い。
【先行技術文献】
【特許文献】
【０００３】
【特許文献１】特開２０００−１８８８６
【発明の概要】
【発明が解決しようとする課題】
【０００４】
ところで近年のスクラップには亜鉛メッキ鋼板等の高級鋼板が多く含まれていることから、排ガス中に蒸発したＺｎやＰｂが多く含まれ、これらが熱交換管の外周に酸化亜鉛や酸化鉛等のダストとして強固に付着する。そこで、熱交換管の外周に強固に付着したダストを確実かつ効率的掻き落とすことができるダスト掻落し装置が望まれている。
【０００５】
そこで、本発明はこのような課題を解決するもので、熱交換管の外周に強固に付着したダストを確実かつ効率的掻き落とすことが可能な排ガス冷却塔のダスト掻落し装置を提供することを目的とする。
【課題を解決するための手段】
【０００６】
上記目的を達成するために、本第１発明では、冷媒を流通させる複数の熱交換管（４）を並設して、これら熱交換管（４）の外周に排ガスを流通させるようにした排ガス冷却塔（２）において、熱交換管（４）の外周に付着したダストを掻き落とすスクレーパ体（５Ａ，５Ｂ）と、スクレーパ体（５Ａ，５Ｂ）が長手方向の一箇所に取着された無端のリング状連結帯（６）と、当該連結帯（６）を正逆回転させて、スクレーパ体（５Ａ，５Ｂ）を熱交換管（４）に沿ってその長手方向へ往復移動させる移動駆動手段（７５）とを備える。
【０００７】
本第１発明においては、スクレーパ体は無端の連結帯に取着されているから、連結帯を正逆回転作動させると熱交換管に沿ったいずれの方向へもスクレーパ体が強力に引っ張られる。この結果、熱交換管の外周に強固に堆積付着したダストが強力かつ確実に掻き落とされる。
【０００８】
本第２発明では、前記連結帯（６）のリング状の両端はそれぞれ懸架部材（７１，７２）に懸架されるとともに、これら懸架部材（７１，７２）は連結帯（６）に所定の張力を付与するように互いに離間する方向へ付勢されている。
【０００９】
本第２発明においては、連結帯に張力が付与されているから、弛みの無い連結帯によってスクレーパ体はさらに強力に引っ張られ、熱交換管の外周に堆積付着したダストがさらに強力かつ確実に掻き落とされる。
【００１０】
上記カッコ内の符号は、後述する実施形態に記載の具体的手段との対応関係を示すものである。
【発明の効果】
【００１１】
以上のように、本発明の排ガス冷却塔のダスト掻落し装置によれば、熱交換管の外周に強固に付着したダストを確実かつ効率的掻き落とすことができる。
【図面の簡単な説明】
【００１２】
【図１】排ガス冷却塔の側面垂直断面図である。
【図２】排ガス冷却塔の正面垂直断面図である。
【図３】排ガス冷却塔に設けたスクレーパ体の平面図である。
【発明を実施するための形態】
【００１３】
なお、以下に説明する実施形態はあくまで一例であり、本発明の要旨を逸脱しない範囲で当業者が行う種々の設計的改良も本発明の範囲に含まれる。
【００１４】
図１には排ガス冷却塔の側面垂直断面図を示し、図２にはその正面垂直断面図を示す。図１において、白矢印で示す方向へ排ガスが流通する排ガス管路１には、途中に排ガス冷却塔２が設けられており、排ガス冷却塔２の下部は排ガス管路１から下方へ分岐するダスト排出管３内に位置している。
【００１５】
排ガス冷却塔２内には、下端をＵ字形に折り返し両上端が開口する熱交換管４が、排ガス管路１の長手方向へ前後四列に設けられており、各列の熱交換管４は図２に示すように、排ガス管路１を横断するように多数所定間隔で配設されている。各熱交換管４には図略の管路を経て冷媒としての冷却空気が流通させられている。
【００１６】
これら熱交換管４のＵ字形の内空間や、互いに隣接する熱交換管４の間には、空気流通間隙Ｓが形成されて、排ガス管路１を流通する排ガスは空気流通間隙Ｓを通過する間に冷却空気と熱交換して温度が低下させられる。そして、排ガス中にＺｎやＰｂが含まれていると、排ガスの温度低下に伴ってこれらが熱交換管４の外周に酸化亜鉛や酸化鉛等のダストとして堆積して強固に付着する。
【００１７】
このような熱交換管４に対しては、排ガス管路１の長手方向の、前後各一対の熱交換管４にそれぞれ、ダスト掻落し装置を構成するスクレーパ体５Ａ，５Ｂが設けられている。スクレーパ体５Ａ，５Ｂの平面視を図３に示す。両スクレーパ体５Ａ，５Ｂは同一構造で、排ガス管路１を横切るように左右に延びる平行な一対の掻落し板５１と、掻落し板５１の間に斜めかつ平行に多数掛け渡された掻落し板５２で構成されている。そしてこれら掻落し板５１，５２が熱交換管４の間に形成された空気流通間隙Ｓに位置して、熱交換管４の外周に近接している。
【００１８】
掻落し板５１の両端は互いに端板５３で結合されており、各端板５３に外方へ向けて立設された平行ブラケット５４が、上下方向へ配設された連結帯としてのチェーン６に固定されて、これによりスクレーパ体５Ａ，５Ｂがチェーン６に取着されている。チェーン６は排ガス冷却塔２の左右位置にそれぞれ設けられている（図２）。各チェーン６は無端のリング状に形成されており、その上端と下端はそれぞれ、排ガス冷却塔２の上部左右位置と下部左右位置に設けた懸架部材としてのスプロケット７１，７２に懸架されている。なお、連結帯としては必ずしもチェーンを使用する必要は無いが、高負荷状態で使用する場合にはチェーンが好適である。
【００１９】
上側に設けられた左右のスプロケット７１は、これらを覆うカバー体７１１を貫通して水平に配設された共通の軸体７３の両端に固定されており、軸体７３には中間位置にスプロケット７４が設けられて、当該スプロケット７４がモータ７５の出力軸に設けられたスプロケット７６とチェーン（図示略）で連結されている。これにより、モータ７５を正逆転させると、これに応じて軸体７３およびチェーン６が正逆転させられる。
【００２０】
スクレーパ体５Ａ，５Ｂは、図１に示すように、互いにチェーン６の反対位置に取着されて、一方が上端位置に移動した時には他方が下端位置に移動するようになっている。上記軸体７３には中間位置にリミットスイッチ用のノッカ７７（図２）が設けられて、スクレーパ体５Ａ，５Ｂがそれぞれ上端位置および下端位置に至った時にリミットスイッチ（図示略）からモータ７５へ反転指令が出力されるようになっている。
【００２１】
下側に設けられた左右のスプロケット７２はそれぞれ、これを回転自在に支持する水平軸体８１を設置したブラケット体８内に収容されており、各ブラケット体８はバネ部材８２によって下方へ付勢されている。これにより、ブラケット体８内に収容された下側スプロケット７２が上側スプロケット７１に対して離間する方向である下方へ常時付勢されている。これによって左右のチェーン６には、常に所定の張力が付与されるようになっている。なお、下側スプロケット７２を付勢する手段はバネ部材８２に限られず、また上側スプロケット７１あるいは上下の両スプロケット７１，７２を互いに離間する方向へ付勢するようにしても良い。
【００２２】
このような構造のダスト掻落し装置２において、熱交換管４の外周にダストが付着した場合には、モータ７５によってチェーン６を回転させ、スクレーパ体５Ａ，５Ｂを熱交換管４に沿って上下方向へ移動させる。これにより、スクレーパ体５Ａ，５Ｂの掻落し板５１，５２が空気流通間隙Ｓを移動させられて、熱交換管４の外周に近接して移動するこれら掻落し板５１，５２によって、熱交換管４の外周に付着したダストが掻き落とされる。この際、スクレーパ体５Ａ，５Ｂは、上下のスプロケット７１，７２に懸架され所定の張力が付与された無端のチェーン６に取着されているから、熱交換管４に沿った上下方向のいずれへも、モータ７５の駆動力を受けた弛みの無いチェーン６によって強力に引っ張られる。この結果、熱交換管４の外周に強固に堆積付着したダストは強力かつ確実に掻き落とされてダスト排出管３内へ落下し排出される。
【符号の説明】
【００２３】
１…排ガス管路、２…排ガス冷却塔、４…熱交換管、５Ａ，５Ｂ…スクレーパ体、６…チェーン（連結帯）、７５…モータ（移動駆動手段）。
【図１】
2014231946.tif 000003
【図２】
2014231946.tif 000004
【図３】
2014231946.tif 000005